(57)【要約】【課題】開口部の通行者が多く、連続して通行するような場合でも通行者を精度よく計数できるようにする。【解決手段】通行者を検知可能な位置に設定される近傍エリア１ａ1と、この近傍エリア１ａ1よりも出入口１２寄りに設定される安全エリア１ｂとを有する計数領域での検知に応じて通行者を計数する計数制御手段を含む。計数制御手段は、出入口１２の両側の位置で出入口１２の幅方向に複数設定された前記計数領域の少なくとも１つにおいて、近傍エリア１ａ1が非検知状態でかつ安全エリア１ｂが検知状態になった後、所定時間内にこれら両エリアが検知状態になり、さらに所定時間内に近傍エリア１ａ1が検知状態でかつ安全エリア１ｂが非検知状態になったことに基づいて、通行者を計数する。【選択図】図１
2007287094.tif 000002
【特許請求の範囲】
【請求項１】
開口部を通行する通行者数を計数する計数装置であって、
通行者を検知可能な位置に設定される第１領域と、この第１領域よりも前記開口部寄りに設定され、通行者を検知可能な第２領域とを有する計数領域での検知に応じて通行者を計数する計数制御手段を含み、
前記計数制御手段は、前記開口部を挟んで少なくとも一方の側で前記開口部の幅方向に複数設定された前記計数領域の少なくとも１つにおいて、前記第１領域が非検知状態でかつ前記第２領域が検知状態になった後、これら両領域が検知状態になり、さらにその後、前記第１領域が検知状態でかつ前記第２領域が非検知状態になった場合に、通行者を計数する通行者計数装置。
【請求項２】
開口部を通行する通行者数を計数する計数装置であって、
通行者を検知可能な位置に設定される第１領域と、この第１領域よりも前記開口部寄りに設定され、通行者を検知可能な第２領域とを有する計数領域での検知に応じて通行者を計数する計数制御手段を含み、
前記計数制御手段は、前記開口部を挟んで少なくとも一方の側で前記開口部の幅方向に複数設定された前記計数領域の少なくとも１つにおいて、前記第１領域が検知状態でかつ前記第２領域が非検知状態になった後、これら両領域が検知状態になり、さらにその後、前記第１領域が非検知状態でかつ前記第２領域が検知状態になった場合に、通行者を計数する通行者計数装置。
【請求項３】
前記計数制御手段は、前記開口部を挟んで両側に位置する前記計数領域の何れでの検知かに応じて、通行者を別々に計数する請求項１又は２に記載の通行者計数装置。
【請求項４】
前記計数領域間で前記第２領域が共用化されている請求項３に記載の通行者計数装置。
【請求項５】
隣り合う計数領域であって、検知状態にあるものを１つのグループとして設定するグループ設定手段と、
通行者１人がまたがり得る計数領域数に相当する領域係数が記憶された記憶手段とを含み、
前記計数制御手段は、前記グループを構成する計数領域数と前記領域係数とに基づいて、通行者を計数する請求項１から４の何れか１項に記載の通行者計数装置。
【請求項６】
開口部近傍の屋内側の人又は物体を検知する屋内側センサ及び前記屋外側センサを備え、これら屋内側センサ及び屋外側センサによる検知に基づいて前記開口部のドアを開閉する自動ドアであって、
請求項１に記載の通行者計数装置を備え、
前記屋内側センサは、検知エリアに少なくとも前記第１領域を有するエリアセンサによって構成され、
前記屋外側センサは、検知エリアに少なくとも前記第１領域を有するエリアセンサによって構成され、
前記第２領域は、前記屋内側センサの検知エリア及び前記屋外側センサの検知エリアの少なくとも一方に含まれ、
前記通行者計数装置の計数制御手段は、前記屋内側センサの前記第１領域と前記第２領域での検知に基づいて入室者を計数する一方、前記屋外側センサの前記第１領域と前記第２領域での検知に基づいて退室者を計数するように構成されている計数機能付き自動ドア。
【発明の詳細な説明】
【技術分野】
【０００１】
本発明は、開口部の通行者を計数する通行者計数装置及びその計数装置を備えた計数機能付き自動ドアに関するものである。
【背景技術】
【０００２】
従来、建物の出入口等の開口部を通過する人数の計数を行う通行者計数装置として、下記特許文献１に開示されているように、自動ドアの屋内側センサ、屋外側センサ及び補助センサを利用するようにしたものが知られている。具体的に、同文献に開示されている通行者計数装置では、屋外側センサ、補助センサ及び屋内側センサがこの順に時系列的に通行者を検知すると、屋外の通行者が開口部を通り抜けて建物内に入室すると判断できるので、入室者を「１」とカウントし、また屋内側センサ、補助センサ及び屋外側センサがこの順に通行者を検知すると、屋内の通行者が開口部を通り抜けて建物外部へ退室すると判断できるので、退室者を「１」とカウントしている。
【特許文献１】特開２００２−２１６１００号公報
【発明の開示】
【発明が解決しようとする課題】
【０００３】
しかしながら、前記特許文献１に開示された通行者計数装置では、開口部の通行者数が多くなると正確にカウントできない。すなわち、自動ドアの起動センサ（屋内側センサ、屋外側センサ）の検知エリアはある程度の大きさがあるため、この検知エリア内に複数人の通行者が入ることがある。この場合、その複数人が連続して例えば入室するときには、屋外側センサは通行者ごとにオンオフするのではなく継続して検知状態となるため、通行者ごとに屋外側センサ、補助センサ及び屋内側センサの順に検知するとは限らない。このため後続の通行者が計数されないこととなり、正確なカウントをできない。したがって、通行者が多く、連続して通行するような場所にこの計数装置を適用すると、カウント精度が低下することとなる。
【０００４】
そこで、本発明は、かかる点に鑑みてなされたものであり、その目的とするところは、開口部の通行者が多く、連続して通行するような場合でも通行者を精度よく計数できるようにすることにある。
【課題を解決するための手段】
【０００５】
前記の目的を達成するため、本発明は、開口部を通行する通行者数を計数する計数装置であって、通行者を検知可能な位置に設定される第１領域と、この第１領域よりも前記開口部寄りに設定され、通行者を検知可能な第２領域とを有する計数領域での検知に応じて通行者を計数する計数制御手段を含み、前記計数制御手段は、前記開口部を挟んで少なくとも一方の側で前記開口部の幅方向に複数設定された前記計数領域の少なくとも１つにおいて、前記第１領域が非検知状態でかつ前記第２領域が検知状態になった後、これら両領域が検知状態になり、さらにその後、前記第１領域が検知状態でかつ前記第２領域が非検知状態になった場合に、通行者を計数する。
【０００６】
本発明では、開口部の幅方向に複数設けられた計数領域のそれぞれでの検知状況に基づいて、通行者を計数するので、複数の通行者が横に並んで開口部を通行する場合のように複数の通行者が同時に開口部を通行する場合にも、各通行者を計数することができる。しかも通行者の通行位置によらず通行者を計数することできる。また計数領域が複数設定されていることから各第１領域や第２領域の大きさを通行者の体格に合わせた大きさに設定する必要がなく、任意の大きさに設定することが可能となる。しかも本発明では、通行者を計数するかどうかを判定するに際して、第２領域が検知状態でかつ第１領域が非検知状態になってから第２領域が非検知状態でかつ第１領域が検知状態になるまでを考慮するので、開口部を完全に通過せずに途中で引き返してしまうような者を誤って計数するのを防止でき、これにより通行者数を正確に計数することができる。言い換えると、開口部から離れる方向に移動する通行者を計数しているので、開口部を通過した通行者のみの計数が可能となり、これにより通行者数を正確に計数することができる。しかも例えば屋内側のみというように開口部に対して一方側にのみ計数領域があれば、通行者数を正確に計数することができる。
【０００７】
また、本発明では、開口部を通行する通行者数を計数する計数装置であって、通行者を検知可能な位置に設定される第１領域と、この第１領域よりも前記開口部寄りに設定され、通行者を検知可能な第２領域とを有する計数領域での検知に応じて通行者を計数する計数制御手段を含み、前記計数制御手段は、前記開口部を挟んで少なくとも一方の側で前記開口部の幅方向に複数設定された前記計数領域の少なくとも１つにおいて、前記第１領域が検知状態でかつ前記第２領域が非検知状態になった後、これら両領域が検知状態になり、さらにその後、前記第１領域が非検知状態でかつ前記第２領域が検知状態になった場合に、通行者を計数する。
【０００８】
本発明では、開口部の幅方向に複数設けられた計数領域のそれぞれでの検知状況に基づいて、通行者を計数するので、複数の通行者が横に並んで開口部を通行する場合のように複数の通行者が同時に開口部を通行する場合にも、各通行者を計数することができる。しかも通行者の通行位置によらず通行者を計数することできる。また計数領域が複数設定されていることから各第１領域や第２領域の大きさを通行者の体格に合わせた大きさに設定する必要がなく、任意の大きさに設定することが可能となる。しかも本発明では、通行者を計数するかどうかを判定するに際して、第１領域が検知状態でかつ第２領域が非検知状態になってから第１領域が非検知状態でかつ第２領域が検知状態になるまでを考慮するので、開口部に進入することなく途中で引き返してしまうような者を誤って計数するのを防止でき、これにより通行者数を正確に計数することができる。言い換えると、開口部内に実際に進入した通行者を計数することができる。しかも例えば屋内側のみというように開口部に対して一方側にのみ計数領域があれば、通行者数を正確に計数することができる。
【０００９】
ここで、前記通行者計数装置において、前記計数制御手段は、前記開口部を挟んで両側に位置する前記計数領域の何れでの検知かに応じて、通行者を別々に計数するのが好ましい。この態様では、通行者が開口部をどちら向きに通過する場合であっても計数することができ、しかも通過方向ごとに別々に通行者の計数を行うことができる。
【００１０】
そしてこの態様において、前記計数領域間で前記第２領域が共用化されていてもよい。この態様では、屋内から屋外へ通行する通行者と、屋外から屋内へ通行する通行者とは、互いにぶつからないように開口部の幅方向にずれて通行するので、屋内側の計数領域と屋外側の計数領域とにおいて第２領域を共用化しても、計数制御手段による計数の精度が低下しない。したがって、この態様では、計数精度を維持しつつ、第２領域数を低減できる。
【００１１】
また、隣り合う計数領域であって、検知状態にあるものを１つのグループとして設定するグループ設定手段と、通行者１人がまたがり得る計数領域数に相当する領域係数が記憶された記憶手段とを含むのが好ましく、この場合には前記計数制御手段は、前記グループを構成する計数領域数と前記領域係数とに基づいて、通行者を計数するのが好ましい。
【００１２】
この態様では、各計数領域で検知されたのが同人なのか別人なのかの判断をでき、隣り合う複数の計数領域が検知状態となった場合にも正確に通行者数を計数することができる。
【００１３】
また、本発明は、開口部近傍の屋内側の人又は物体を検知する屋内側センサ及び開口部近傍の屋内側の人又は物体を検知する屋外側センサを備え、これら屋内側センサ及び屋外側センサによる検知に基づいて前記開口部のドアを開閉する自動ドアであって、前記通行者計数装置を備え、前記屋内側センサは、検知エリアに少なくとも前記第１領域を有するエリアセンサによって構成され、前記屋外側センサは、検知エリアに少なくとも前記第１領域を有するエリアセンサによって構成され、前記第２領域は、前記屋内側センサの検知エリア及び前記屋外側センサの検知エリアの少なくとも一方に含まれ、前記通行者計数装置の計数制御手段は、前記屋内側センサの前記第１領域と前記第２領域での検知に基づいて入室者を計数する一方、前記屋外側センサの前記第１領域と前記第２領域での検知に基づいて退室者を計数するように構成されている計数機能付き自動ドアである。
【００１４】
本発明では、自動ドアに設けられる屋内側センサと屋外側センサの検知信号を入退室者カウントに利用できるので、センサ類等の追加を抑制しつつ自動ドアに計数機能を付加することができる。
【発明の効果】
【００１５】
以上説明したように、本発明によれば、開口部の通行者が多く、連続して通行するような場合でも通行者を精度よく計数できるようにすることにある。
【発明を実施するための最良の形態】
【００１６】
以下、本発明を実施するための最良の形態について図面を参照しながら詳細に説明する。
【００１７】
図１は、本発明に係る計数機能付き自動ドアの一実施形態を概略的に示している。同図に示すように、本自動ドア１０は、店舗等の建物の出入口（開口部の一例）１２を開閉するためのものであり、この出入口１２を開閉するための引き戸式のドア１４と、このドア１４を開閉駆動させるための開閉駆動機構（図示省略）とを備えている。
【００１８】
出入口１２の上側には細長形状の無目１８が出入口１２の上縁部に沿って延びるように配設されており、この無目１８に前記開閉駆動機構が収納されている。この開閉駆動機構は、例えばベルト駆動方式のものであり、モータ２０（図２参照）と、このモータ２０の駆動によって周回するエンドレスのベルト（図示省略）とを備え、ベルトの周回に応じてドア１４が壁体１６の屋内側に沿って開閉移動するようになっている。
【００１９】
自動ドア１０は、図２にも示すように、屋内側センサ２８と、屋外側センサ３０と、ドア１４の開閉制御を行う自動ドア制御装置２２と、通行者計数装置２４とを備えており、これらの装置は、制御に関する情報を送受信するための共通のデータバス２７上に接続されている。このデータバス２７として例えばＣＡＮ（Ｃｏｎｔｒｏｌｌｅｒ  Ａｒｅａ  Ｎｅｔｗｏｒｋ）を用いることができる。屋内側センサ２８及び屋外側センサ３０は、それぞれ自動ドアの起動センサとして機能するとともに、ドアウェイ近傍の人等が走行するドア１４に挟まれないようにするための安全センサとしても機能する。
【００２０】
屋内側センサ２８は、無目１８の屋内側面に取り付けられており、出入口１２の屋内側の所定領域を検知エリア（屋内側の検知エリア）１〜７として有するエリアセンサによって構成されている。屋内側センサ２８は、例えば赤外線反射式センサによって構成されており、赤外線を検知エリア１〜７に投光する図略の投光器と、この投光器からの反射光を受光する図略の受光器とを備えている。更にデータバス２７に接続するための図略のインターフェースも備えている。なお、図１には、検知エリア１を代表させて検知エリアを示している。
【００２１】
屋外側センサ３０は、無目１８の屋外側面に取り付けられており、出入口１２の屋外側の所定領域を検知エリア（屋外側の検知エリア）１〜７として有するエリアセンサによって構成されている。屋外側センサ３０は、例えば赤外線反射式センサによって構成されており、赤外線を検知エリア１〜７に投光する図略の投光器と、この投光器からの反射光を受光する図略の受光器とを備えている。更にデータバス２７に接続するための図略のインターフェースも備えている。
【００２２】
なお、屋内側センサ２８及び屋外側センサ３０は、電波や超音波を媒体にして所定の検知エリア内の人又は物体を検知する電波式センサや超音波式センサによって構成してもよい。更に屋内側センサ２８及び屋外側センサ３０はＣＣＤカメラなどを用い、所定の検知エリア内を撮影し、それを画像処理することによって人又は物体を検知する画像処理センサによって構成してもよい。また屋内側センサ２８及び屋外側センサ３０は測距式のセンサであって、検知エリアを出入口１２の近傍の空間の一部に立体的に形成するものであってもよい。
【００２３】
屋内側の検知エリア１〜７と屋外側の検知エリア１〜７は同様の構成となっているので、ここでは、屋内側の検知エリアの構成について説明する。
【００２４】
検知エリア１〜７は、図３に示すように、起動エリア１ａ〜７ａと、この起動エリア１ａ〜７ａの出入口側に配置される安全エリア１ｂ〜７ｂとを有する。起動エリア１ａ〜７ａ及び安全エリア１ｂ〜７ｂは、それぞれ出入口１２の幅方向に並ぶように複数（図例では７つ）設けられている。各起動エリア１ａ〜７ａは、それぞれ通行方向（出入口１２に直交する方向）に２つの領域に分割されている。つまり、各起動エリア１ａ〜７ａは、近傍エリア１ａ1〜７ａ1と、この近傍エリア１ａ1〜７ａ1に対して出入口１２とは反対側に配置される遠方エリア１ａ2〜７ａ2とからなる。なお、遠方エリア１ａ2〜７ａ2は、通行方向に複数のエリアに分割されていてもよい。
【００２５】
前記各安全エリア１ｂ〜７ｂは、それぞれ対応する近傍エリア１ａ1〜７ａ1の出入口側に隣接している。この安全エリア１ｂ〜７ｂは、ドア１４が走行するドアウェイ近傍の人又は物体を検知してその人等がドア１４に挟まれないようにするために設定されるものである。この安全エリア１ｂ〜７ｂは、起動エリア１ａ〜７ａよりもスポット面積が小さい設定となっている。起動エリア１ａ〜７ａにおける近傍エリア１ａ1〜７ａ1と安全エリア１ｂ〜７ｂとは、検知漏れが生じないように両者間に間隔をあけずに連続した領域を形成するように設定されている。なお本実施例では各安全エリア１ｂ〜７ｂは、それぞれ対応する近傍エリア１ａ1〜７ａ1の出入口側に隣接させているが、通行者が両方のエリアを同時に検知可能であれば、両方のエリアの間に隙間があってもかまわない。
【００２６】
前記各検知エリア１〜７には、通行者数を計数するための計数領域１ｃ〜７ｃがそれぞれ設定されている。各計数領域１ｃ〜７ｃは、通行者を検知可能な位置に設定される第１領域としての前記近傍エリア１ａ1〜７ａ1と、近傍エリア１ａ1〜７ａ1よりも出入口１２寄りに設定される第２領域としての前記安全エリア１ｂ〜７ｂとを有する。すなわち、各計数領域１ｃ〜７ｃは、近傍エリア１ａ1〜７ａ1とそれに対応する安全エリア１ｂ〜７ｂとからなる領域であって、出入口１２の幅方向に複数配置されている。
【００２７】
屋内側センサ２８及び屋外側センサ３０は、起動エリア１ａ〜７ａで検知対象としての人又は物体を検知すると起動検知信号を出力する一方、安全エリア１ｂ〜７ｂで検知対象としての人又は物体を検知すると安全検知信号を出力するように構成されている。
【００２８】
各計数領域１ｃ〜７ｃは、図４（ａ）に示すように、何れの通行者も複数の計数領域１ｃ〜７ｃにまたがるような大きさ及び間隔に設定されていてもよく、あるいは、図４（ｂ）（ｃ）に示すように、例えば大人の通行者が複数の計数領域１ｃ〜７ｃにまたがる一方、例えば小人の通行者が複数の計数領域１ｃ〜７ｃにはまたがらない大きさ及び間隔に設定されていてもよい。あるいは、屋内側センサ２８及び屋外側センサ３０を測距式センサによって構成し、この構成において出入口１２の近傍の空間の一部に立体的に検知エリアを形成する場合には、各計数領域１ｃ〜７ｃは大人の通行者と小人の通行者が区別できる程度の少なくとも２種類の高さに設定されていてもよい。以下の説明では、例えば大人の通行者が複数の計数領域１ｃ〜７ｃにまたがる一方、例えば小人の通行者が１つの計数領域１ｃ〜７ｃで検知されるような設定の場合について説明する。
【００２９】
前記自動ドア制御装置２２は、周知のマイコン回路及び外部機器との入出力インターフェースを備えたものであって、マイコンプログラムに従って制御動作を行うことにより、モータ制御手段３３と、安全制御手段３５とが機能的に含まれている。
【００３０】
モータ制御手段３３は、前記モータ２０を駆動制御するものであり、屋内側センサ２８又は屋外側センサ３０からの起動検知信号が入力されるとドア１４を開くための制御信号を出力する一方、屋内側センサ２８又は屋外側センサ３０からの起動検知信号が入力されなくなって所定時間が経過すると、モータ２０へドア１４を閉じるための制御信号を出力するように構成されている。モータ２０は、ドア１４を開くための制御信号が入力されるとドア１４を開くように駆動制御され、またドア１４を閉じるための制御信号が入力されるとドア１４を閉じるように駆動制御される。
【００３１】
安全制御手段３５は、屋内側センサ２８又は屋外側センサ３０から出力された安全検知信号が入力されると、モータ制御手段３３がドア１４を閉じるための制御信号を出力するのを制限するように構成されている。つまり、人等が屋内側センサ２８又は屋外側センサ３０の安全エリア１ｂ〜７ｂ内で人等が検知されている間、ドア１４が閉じるのが制限される。
【００３２】
前記通行者計数装置２４は、データバス２７に接続するためのインターフェース４１と記憶部４３と計数制御手段４５と表示部４７とを備えている。
【００３３】
記憶部４３には、制御プログラム、領域係数α、既に計数された通行者数等が記憶されている。この通行者数は、後述するように計数制御手段４５によって導出された通行者数であり、入室者数と退室者数とに分けて別個に記憶されている。
【００３４】
領域係数αは、平均的な通行者１人がまたがり得る計数領域数を表す係数であり、計数領域１ｃ〜７ｃの大きさ、間隔に応じて適宜決められるものである。なお、この係数は、固定値としてもよく、あるいは適宜入力可能としてもよい。
【００３５】
通行者計数装置２４は、屋内側センサ２８や屋外側センサ３０や自動ドア制御装置２２からの制御信号をデータバス２７を介してインターフェース４１で受信し、計数制御手段４５が前記制御プログラムに従って制御動作を行うように構成されている。そして、計数制御手段４５には、計数状態判定手段４９とグループ設定手段５１と通行者数導出手段５３とが機能的に含まれている。
【００３６】
計数状態判定手段４９は、計数領域１ｃ〜７ｃ毎に近傍エリア１ａ1〜７ａ1及び安全エリア１ｂ〜７ｂが検知状態にあるか否かを判定し、近傍エリア１ａ1〜７ａ1が非検知状態でかつ安全エリア１ｂ〜７ｂが検知状態になった後、第１の所定時間内にこれら両エリア１ａ1〜７ａ1，１ｂ〜７ｂが検知状態になり、さらに第２の所定時間内に近傍エリア１ａ1〜７ａ1が検知状態でかつ安全エリア１ｂ〜７ｂが非検知状態になったときに、その計数領域１ｃ〜７ｃを計数状態にある計数領域１ｃ〜７ｃとして設定する。第１の所定時間及び第２の所定時間は、自動ドア１０の設置環境、想定される通行者数等に応じて設定されるものであり、両所定時間は同じ時間であってもよく異なる時間であってもよい。
【００３７】
グループ設定手段５１は、計数状態として設定された計数領域１ｃ〜７ｃについて、互いに隣り合うものについては、それらをグループ化する。すなわち、このグループ（計数グループ）は、計数状態として設定された計数領域１ｃ〜７ｃであって、連続する計数領域１ｃ〜７ｃからなる。なお、計数グループは、屋内側の検知エリア１〜７の計数領域１ｃ〜７ｃと、屋外側の検知エリア１〜７の計数領域１ｃ〜７ｃとに別々に設定される。
【００３８】
また、グループ設定手段５１は、計数状態として設定された計数領域１ｃ〜７ｃであっても、隣接する計数領域１ｃ〜７ｃが計数状態になっていないものについては、グループ化しない。このグループ化されない計数領域１ｃ〜７ｃの数は、小人等のように複数の計数領域１ｃ〜７ｃにまたがらない通行者の数に相当する。
【００３９】
通行者数導出手段５３は、計数状態にある計数領域数に基づいて、通行者数を導出する。具体的に、通行者数導出手段５３は、各計数グループを構成する計数領域数Ｘから第１の通行者数Ａを導出するとともに、グループ化されていない単独の計数領域数Ｙを第２の通行者数Ｂとして導出する。そして、これら第１及び第２の通行者数Ａ及びＢを、記憶部４３に記憶された通行者数Ｃ１に加算することにより出入口１２を通行した通行者数Ｃ２として積算していく。
【００４０】
より具体的には、計数グループを構成する計数領域数から第１の通行者数Ａを導出するには、その計数グループを構成する計数領域数Ｘを領域係数αで除し、それによって得られた値を四捨五入、切り捨て、切り上げ等により整数値とする。これにより、計数グループ毎の通行者数を取得することができる。例えば、計数領域１ｃ〜７ｃの大きさが、大人の通行者１人が２〜３の計数領域１ｃ〜７ｃにまたがるような大きさに設定されているときには、領域係数αを２．５に設定する。そして、１つの計数グループを構成する計数領域数Ｘが例えば４であるときには、４／２．５＝１．６を例えば四捨五入することにより、通行者数Ａを「２」として導出する。一方、計数グループを構成しない計数領域１ｃ〜７ｃについては、各計数領域１ｃ〜７ｃが通行者１人に相当するので、この計数領域数Ｙをそのまま通行者数Ｂとして導出することができる。
【００４１】
通行者数は、入室者数と退室者数とに分けて導出される。すなわち、屋外側の計数領域１ｃ〜７ｃに基づいて導出される通行者数が退室者数として導出され、屋内側の計数領域１ｃ〜７ｃに基づいて導出される通行者数が入室者数として導出される。
【００４２】
前記表示部４７は、計数制御手段４５で得られた通行者数を表示するように構成されている。この表示は、例えば退室者と入室者とに分けられて表示される。
【００４３】
通行者計数装置２４は、例えば店舗外に設置されているサーバ５３（図２参照）と通信可能となっていて、入退室者のカウント情報はサーバ５３に蓄積されるようになっている。このサーバ３５に蓄積されたカウント情報は、店舗内或いは店舗外に設置された端末５５によって確認できるようになっている。
【００４４】
次に、本自動ドア１０の計数機能に関する制御動作について、制御フローを示す図５及び図６を参照しながら説明する。
【００４５】
本自動ドア１０は図５に示す制御フローを繰り返し実行するようになっている。まず、ステップＳＴ１０において、計数状態にある計数領域１ｃ〜７ｃを設定するための計数検知処理ルーチンを実行する。この計数検知処理ルーチンでは、計数領域１ｃ〜７ｃ毎に計数状態にあるか否かを判定する制御が行われる。具体的には、図６に示すように、まずステップＳＴ１１において、近傍エリア１ａ1〜７ａ1が非検知状態であり、且つそれに隣接する安全エリア１ｂ〜７ｂが検知状態であるか否かを判定する。なお、安全エリア１ｂ〜７ｂのみが検知状態であって、屋外側の近傍エリア１ａ1〜７ａ1も屋内側の近傍エリア１ａ1〜７ａ1も非検知状態である場合にこのステップでの判定がＹＥＳとなるが、それに限らず、安全エリア１ｂ〜７ｂが検知状態であって、一方の近傍エリア１ａ1〜７ａ1のみが検知状態にある場合にも前記判定がＹＥＳになる。すなわち、例えば屋内側の安全エリア１ｂ〜７ｂ及び屋内側の近傍エリア１ａ1〜７ａ1が検知状態であったとしても、屋外側の近傍エリア１ａ1〜７ａ1が非検知状態の場合には、屋外側の計数領域１ｃ〜７ｃが該当することとなる。
【００４６】
ステップＳＴ１１での判定がＹＥＳの場合にはステップＳＴ１２に移り、前記検知状態であった安全エリア１ｂ〜７ｂが検知状態のままで、かつ安全エリア１ｂ〜７ｂが検知状態になってから第１の所定時間内に前記非検知状態であった近傍エリア１ａ1〜７ａ1が検知状態になったか否かが判定される。すなわち、ステップＳＴ１２では、ある計数領域において近傍エリア１ａ1〜７ａ1と安全エリア１ｂ〜７ｂの双方が検知状態にあるか否かを判定する。そして、ステップＳＴ１２での判定がＹＥＳの場合にステップＳＴ１３に移る。
【００４７】
ステップＳＴ１３では、前記検知状態になった近傍エリア１ａ1〜７ａ1が検知状態のままで、かつこの近傍エリア１ａ1〜７ａ1が検知状態になってから第２の所定時間内に前記検知状態であった安全エリア１ｂ〜７ｂが非検知状態になったか否かが判定される。すなわち、ステップＳＴ１３では、近傍エリア１ａ1〜７ａ1と安全エリア１ｂ〜７ｂがともに検知状態にある計数領域において、安全エリア１ｂ〜７ｂでの検知状況が変化したか否かが判定される。
【００４８】
そして、ステップＳＴ１１〜ＳＴ１３の全ての条件が満たされた計数領域を計数状態として設定する（ステップＳＴ１４）一方、何れかの条件が満たされない計数領域については非計数状態として設定して（ステップＳＴ１５）リターンする。計数検知処理ルーチンでは、このようなステップＳＴ１１〜ＳＴ１５を各計数領域１ｃ〜７ｃについて実行する。
【００４９】
そして、計数検知処理ルーチンからメインフローに戻ると、図５に示すように、ステップＳＴ２０に進み、計数グループを設定する。すなわち、計数検知処理ルーチンで計数状態として設定された計数領域１ｃ〜７ｃについて、隣り合っている計数領域１ｃ〜７ｃについては１つの計数グループとして設定する。
【００５０】
そして、ステップＳＴ３０に進み、各計数グループにおける通行者数を導出する。具体的に、ある計数グループに含まれる計数領域数Ｘを領域係数αで除し、四捨五入等によって整数値とすることにより、その計数グループにおける通行者数を導出する。そして、各計数グループについて同様に通行者数を求め、それらを合計することにより全計数グループの通行者数Ａを導出する。
【００５１】
続いてステップＳＴ４０に進み、計数グループを構成しない計数領域１ｃ〜７ｃにおける通行者数を導出する。ここでの通行者数は、計数グループを構成しない計数領域１ｃ〜７ｃの数に等しいので、その計数領域数Ｙを通行者数Ｂとして導出する。
【００５２】
そして、ステップＳＴ５０に進み、記録されている通行者数Ｃ１に前記通行者数Ａと通行者数Ｂとを加算することにより、累計の通行者数Ｃ２を導出する。そして、この通行者数Ｃ２を記憶部４３に記憶する。このようにして積算通行者が通行者係数装置２４に記憶される。
【００５３】
ここで、通行者の計数についての具体例を図７〜図１０を参照しながら説明する。本実施形態では、前述したように屋外側及び屋内側にそれぞれ７つの計数領域１ｃ〜７ｃが設けられており、図７〜図１０は、これら屋外側及び屋内側の各計数領域１ｃ〜７ｃにおける近傍エリア１ａ1〜７ａ1および安全エリア１ｂ〜７ｂの検知状況を示すタイムチャートである。図の上半分が屋外側での検知状況を示し、下半分が屋内側での検知状況を示している。そして、近傍エリア１ａ1〜７ａ1が検知状態のときに出力される起動検知信号と、安全エリア１ｂ〜７ｂが検知状態のときに出力される安全検知信号とが示されている。
【００５４】
図７は、屋外側から屋内側に向かう通行者と、屋内側から屋外側に向かう通行者とが検知された場合のタイムチャートである。この図に示す例では、屋外側の検知エリア１〜３において、時間Ｔ１に近傍エリア１ａ1〜３ａ1が検知状態となっている。そして、時間Ｔ２において非検知状態にあった安全エリア１ｂ〜３ｂが検知状態となり、近傍エリア１ａ1〜３ａ1と安全エリア１ｂ〜３ｂの双方が検知状態となっている。その後、対応する屋内側検知エリア１〜３において、時間Ｔ３に安全エリア１ｂ〜３ｂが非検知状態から検知状態となっている。このとき屋内側の近傍エリア１ａ1〜３ａ1はまだ非検知状態のままである。そして、時間Ｔ３から第１の所定時間内である時間Ｔ４において、屋内側の近傍エリア１ａ1〜３ａ1は検知状態となり、時間Ｔ４と時間Ｔ５の間は近傍エリア１ａ1〜３ａ1と安全エリア１ｂ〜３ｂの双方が検知状態となっている。そして、時間Ｔ４から第２の所定時間内である時間Ｔ５において、安全エリア１ｂ〜３ｂが非検知状態となっている。すなわち、近傍エリア１ａ1〜３ａ1が検知状態でかつ安全エリア１ｂ〜３ｂが非検知状態となる。
【００５５】
このように時間Ｔ５において、ステップＳＴ１１〜ＳＴ１３の判定が全てＹＥＳとなるため、屋内側の計数領域１ｃ〜３ｃが計数状態として設定される。そして、これら計数領域１ｃ〜３ｃは、互いに隣り合うもの同士なので、グループ化される（計数グループ）。計数グループでは、同グループを構成する計数領域数Ｘが「３」なので、これを領域係数α（＝２．５）で除して四捨五入すると通行者数として「１」が導出される。そして、この計数領域１ｃ〜３ｃは屋内側の計数領域１ｃ〜３ｃなので、この通行者は入室者として記憶される。したがって、入室者数が「１」として記憶される。
【００５６】
一方、時間Ｔ１において屋内側検知エリア５〜７の近傍エリア５ａ1〜７ａ1で検知された通行者は、時間Ｔ２に安全エリア５ｂ〜７ｂで検知され、時間Ｔ３に屋外側の安全エリア５ｂ〜７ｂで検知されている。この時間Ｔ３時点では屋内側の近傍エリア５ａ1〜７ａ1がまだ非検知状態のままであり、時間Ｔ４において安全エリア５ｂ〜７ｂと近傍エリア５ａ1〜７ａ1の双方が検知状態となり、時間Ｔ５において近傍エリア５ａ1〜７ａ1のみが検知状態となる。したがって、時間Ｔ５においてステップＳＴ１１〜ＳＴ１３の各判定条件が満足されて屋外側の計数領域５ｃ〜７ｃが計数状態として設定される。そして、この計数領域５ｃ〜７ｃはグループ化され、この計数グループを構成する領域数Ｘと領域計数αを用いて通行者数「１」が導出される。このときの計数領域５ｃ〜７ｃは屋外側の計数領域５ｃ〜７ｃなので、この通行者は退室者として記憶される。したがって、図７の場合には、入室者と退室者がそれぞれ「１」ずつ積算される。
【００５７】
図８は屋外側から屋内側に向かって並行して移動する通行者が検知された場合である。図８の例では、時間Ｔ６に屋内側の安全エリア１ｂ〜３ｂ，５ｂ〜７ｂが検知状態となっている。そして、時間Ｔ７に屋内側の近傍エリア１ａ1〜３ａ1，５ａ1〜７ａ1でも検知状態となり、時間Ｔ８には安全エリア１ｂ〜３ｂ，５ｂ〜７ｂが非検知状態になって屋内側の近傍エリア１ａ1〜３ａ1，５ａ1〜７ａ1のみが検知状態となっている。したがって、時間Ｔ８の段階で計数領域１ｃ〜３ｃを計数状態として設定するとともに計数領域５ｃ〜７ｃを計数状態として設定する。このとき連続する計数領域１ｃ〜３ｃを１つの計数グループとしてグループ化するとともに、もうひとつの連続する計数領域５ｃ〜７ｃを１つの計数グループとしてグループ化する。これら各計数グループの計数領域数Ｘは各々「３」なので、各計数グループにおいて入室者「１」が導出され、図８の例では、入室者が「２」として積算される。
【００５８】
図９は２人の通行者が並行して移動する例であるが、両通行者がくっついている点で図８と異なる。図９の例では、時間Ｔ１０に屋外側の安全エリア１ｂ〜５ｂが検知状態となっている。そして、時間Ｔ１１に屋外側の近傍エリア１ａ1〜５ａ1も検知状態となり、時間Ｔ１２には安全エリア１ｂ〜５ｂが非検知状態になって屋内側の近傍エリア１ａ1〜５ａ1のみが検知状態となっている。そして、時間１２において計数領域１ｃ〜５ｃをグループ化するとこのグループの計数領域数Ｘは「５」なので、領域係数αで除して通行者数「２」が得られる。そして計数領域１ｃ〜５ｃが屋外側なので、図９の例では、退室者が「２」として積算される。
【００５９】
図１０も２人の通行者がある場合であるが、これら通行者が前後して通行する点で図９と異なる。図１０の例では、時間Ｔ１５に屋内側の安全エリア１ｂ〜３ｂが検知状態になった後、時間Ｔ１６に近傍エリア１ａ1〜３ａ1も検知状態となっている。そして、時間Ｔ１７には安全エリア１ｂ〜３ｂが非検知状態となるので、この段階で計数状態に設定されてグループ化され、通行者数「１」が導出される。この計数グループは屋外側の計数領域１ｃ〜３ｃによって構成されるので、導出された通行者は入室者として記憶される。
【００６０】
また、屋内側の近傍エリア１ａ1〜３ａ1が検知状態のままとなっている時間Ｔ１８において、安全エリア３ｂ〜５ｂが検知状態となっている。このとき、計数領域４ｃ，５ｃのみが図６におけるステップＳＴ１１の判定がＹＥＳとなる。そして、時間Ｔ１９において近傍エリア４ａ1，５ａ1が非検知状態から検知状態となり、時間Ｔ２０において安全エリア４ｂ，５ｂが非検知状態となると、この段階で計数領域４ｃ，５ｃが計数状態として設定される。このとき設定された計数領域４ｃ，５ｃについて計数グループを設定し、この計数グループを構成する計数領域数Ｘ＝２から通行者数を「１」として導出する。この計数グループは屋外側の計数領域４ｃ，５ｃによって構成されるので、導出された通行者は入室者として記憶される。したがって、図１０の例では、入室者が「２」として積算される。
【００６１】
以上説明したように、本実施形態によれば、出入口１２の幅方向に複数設けられた計数領域１ｃ〜７ｃのそれぞれでの検知状況に基づいて、通行者を計数するので、複数の通行者が横に並んで出入口１２を通行する場合のように複数の通行者が同時に出入口１２を通行する場合にも、各通行者を計数することができる。しかも通行者の通行位置によらず通行者を計数することできる。また計数領域１ｃ〜７ｃが複数設定されていることから各近傍エリア１ａ1〜７ａ1や安全エリア１ｂ〜７ｂの大きさを通行者の体格に合わせた大きさに設定する必要がなく、任意の大きさに設定することが可能となる。しかも本実施形態では、通行者を計数するかどうかを判定するに際して、安全エリア１ｂ〜７ｂが検知状態でかつ近傍エリア１ａ1〜７ａ1が非検知状態になってから安全エリア１ｂ〜７ｂが非検知状態でかつ近傍エリア１ａ1〜７ａ1が検知状態になるまでを考慮するので、出入口１２を完全に通過せずに途中で引き返してしまうような者を誤って計数するのを防止でき、これにより通行者数を正確に計数することができる。言い換えると、出入口１２から離れる方向に移動する通行者を計数しているので、出入口１２を通過した通行者のみを計数でき、これにより通行者数を正確に計数することができる。しかも例えば屋内側のみというように出入口１２に対して一方側にのみ計数領域１ｃ〜７ｃがあれば、通行者数を正確に計数することができる。
【００６２】
また本実施形態では、計数領域１ｃ〜７ｃを屋外側及び屋内側の双方に設定し、屋外側での検知か、屋内側での検知かに応じて通行者を別々に計数するようにしているので、退室者及び入室者をそれぞれ別個に計数することができる。
【００６３】
また本実施形態では、検知状態にある計数領域１ｃ〜７ｃであって隣り合うものをグループ化するとともに、予め設定された領域係数を用いて各計数グループでの通行者を導出するようにしているので、各計数領域１ｃ〜７ｃで検知されたのが同人なのか別人なのかの判断ができ、隣り合う複数の計数領域１ｃ〜７ｃが検知状態となった場合にも正確に通行者数を計数することができる。
【００６４】
また本実施形態では、自動ドア１０に設けられる屋内側センサ２８と屋外側センサ３０の検知信号を入退室者カウントに利用できるので、センサ類等の追加を抑制しつつ自動ドア１０に計数機能を付加することができる。
【００６５】
なお、本発明は、前記実施形態に限られるものではなく、その趣旨を逸脱しない範囲で種々変更、改良等が可能である。前記実施形態では、屋外側の検知エリア１〜７と屋内側の検知エリア１〜７がそれぞれ起動エリア１ａ〜７ａと安全エリア１ｂ〜７ｂとを有する構成としたが、図１１に示すように屋内側の検知エリア１〜７と屋外側の検知エリア１〜７とで安全エリア１ｂ〜７ｂを共用化した構成としてもよい。図１１のものでは、例えば屋内側センサ２８の検知エリア１〜７に含まれる安全エリア１ｂ〜７ｂがドアウェイにまで進出するように設定されている。この構成では、計数精度を維持しつつ、安全エリア数を低減できるため、安全エリア用の素子数を低減でき、コストを低減することができる。なお、退室者と入室者とは、出入口１２の幅方向にずれて通行するので、両検知エリア１〜７において安全エリア１ｂ〜７ｂを共用化しても計数精度は低下しないと予測される。
【００６６】
また、前記実施形態では、図４（ｂ）（ｃ）に示すように、例えば大人の通行者が複数の計数領域１ｃ〜７ｃにまたがる一方、例えば小人の通行者が１つの計数領域１ｃ〜７ｃで検知されるような設定について説明したが、これに限られるものではなく、計数領域１ｃ〜７ｃが、何れの通行者も複数の計数領域１ｃ〜７ｃにまたがるような大きさ及び間隔に設定される構成であってもよい。この構成の場合には、ステップＳＴ４０の省略が可能となり、この場合ステップＳＴ５０において、通行者数Ｃ２は、Ｃ２＝Ｃ１＋Ａを演算することによって導出されることになる。
【００６７】
また、前記実施形態と異なり、計数制御手段４５は、近傍エリア１ａ1〜７ａ1が検知状態でかつ安全エリア１ｂ〜７ｂが非検知状態になった後、所定時間内にこれら両エリアが検知状態になり、さらに所定時間内に近傍エリア１ａ1〜７ａ1が非検知状態でかつ安全エリア１ｂ〜７ｂが検知状態になったことに基づいて、通行者を計数するようにしてもよい。この態様では、通行者を計数するかどうかを判定するに際して、近傍エリア１ａ1〜７ａ1が検知状態でかつ安全エリア１ｂ〜７ｂが非検知状態になってから近傍エリア１ａ1〜７ａ1が非検知状態でかつ安全エリア１ｂ〜７ｂが検知状態になるまでを考慮するので、出入口１２に進入することなく途中で引き返してしまうような者を誤って計数するのを防止でき、これにより通行者数を正確に計数することができる。言い換えると、出入口１２内に実際に進入した通行者を計数することができる。しかも例えば屋内側のみというように出入口１２に対して一方側にのみ計数領域１ｃ〜７ｃがあれば、通行者数を正確に計数することができる。
【００６８】
また本実施形態では、自動ドア用の計数装置として構成した場合について説明したが、用途によっては計数領域が、開口部を挟んで少なくとも一方、すなわち屋外側又は屋内側の一方に設けられている形態としてもよい。
【図面の簡単な説明】
【００６９】
【図１】本発明の実施形態に係る自動ドアの構成を示す概略図である。
【図２】前記自動ドアの制御系統の構成を示すブロック図である。
【図３】前記自動ドアの検知エリアの構成を概念的に示す図である。
【図４】（ａ）〜（ｃ）はいずれも通行者と計数領域との関係を示す図である。
【図５】前記自動ドアのメインの制御動作を示すフローチャートである。
【図６】計数検知処理ルーチンのフローチャートである。
【図７】各計数領域における検知信号のタイムチャートの一例を示す特性図である。
【図８】各計数領域における検知信号のタイムチャートの一例を示す特性図である。
【図９】各計数領域における検知信号のタイムチャートの一例を示す特性図である。
【図１０】各計数領域における検知信号のタイムチャートの一例を示す特性図である。
【図１１】その他の実施形態における検知エリアの構成を示す図３相当図である。
【符号の説明】
【００７０】
１〜７    検知エリア
１ａ〜７ａ    起動エリア
１ａ1〜７ａ1    近傍エリア
１ｂ〜７ｂ    安全エリア
１ｃ〜７ｃ    計数領域
１２    出入口
２８    屋内側センサ
３０    屋外側センサ
４３    記憶部
４５    計数制御手段
５１    グループ設定手段
【図１】
2007287094.tif 000003
【図２】
2007287094.tif 000004
【図３】
2007287094.tif 000005
【図４】
2007287094.tif 000006
【図５】
2007287094.tif 000007
【図６】
2007287094.tif 000008
【図７】
2007287094.tif 000009
【図８】
2007287094.tif 000010
【図９】
2007287094.tif 000011
【図１０】
2007287094.tif 000012
【図１１】
2007287094.tif 000013